(57)【要約】      （修正有）【課題】光沢が少なく、軟らかい感触の人工まつげを提供する。【解決手段】先端がカールされると共に、先細とされたテーパー部４を有し、テーパー部４の表面に複数の微小な凹部５が形成された人工まつげ１である。凹部５は、組成中の微少成分によって形成される。微少成分は、シリカである。【選択図】図１
0003196356.tif 000002
【実用新案登録請求の範囲】
【請求項１】
先端がカールされると共に、先細とされたテーパー部を有し、
前記テーパー部の表面に複数の微小な凹部が形成された人工まつげ。
【請求項２】
前記凹部は、組成中の微少成分によって形成される請求項１に記載の人工まつげ。
【請求項３】
前記微少成分がシリカである請求項１または請求項２に記載の人工まつげ。
【考案の詳細な説明】
【技術分野】
【０００１】
本考案は、人工まつげに関する。
【背景技術】
【０００２】
１本のまつげに対して接着剤によって接着する人工まつげが知られている。すなわち、人工まつげの基部は、まつげと接着され、その先端は、カールされると共に、テーパーがつけられて細くされている。人工まつげによってまつげにボリュームを与え、魅力的な目元を演出することかできる。例えば特許文献１には、エクステンション用人工まつげが記載されている。さらに、特許文献２には、酸化珪素などを含有するポリエステル系繊維をアルカリ水溶液で処理し、繊維表面に微細な凹凸を形成させた人工毛髪用ポリエステル繊維が記載されている。さらに、特許文献３には、毛髪または頭部に装着する繊維材料において、表面に凹部を形成して、より表面の光沢を抑制する（艶消し）ことが記載されている。
【先行技術文献】
【特許文献】
【０００３】
【特許文献１】実用新案登録第３１７０８８６号公報
【特許文献２】特開昭６３−１２７１６号公報
【特許文献３】特開平５−１４０８０７号公報
【考案の概要】
【考案が解決しようとする課題】
【０００４】
人工まつげの場合も、人工毛髪と同様に表面に光沢が生じて人工的な印象を受ける問題があった。特許文献２または特許文献３に記載のものは、光沢を抑制するために、繊維材料の全体に凹凸または凹部を設けるものであった。人工まつげの場合は、その先端がテーパー状とされ、しかも、先端のみカールさせる関係から適度なやわらかさを持つ必要があった。特許文献２および３の人工毛髪の場合、先端をカールさせる必要がないものであり、先端をテーパー状とし、しかも、やわらかさを持たせる点に対しての配慮がされていない問題がある。
【０００５】
したがって、本考案の目的は、光沢が少なく、先端が軟らかい人工まつげを提供することにある。
【課題を解決するための手段】
【０００６】
本考案は、先端がカールされると共に、先細とされたテーパー部を有し、テーパー部の表面に複数の微小な凹部が形成された人工まつげである。
本考案では、凹部は、組成中の微小成分によって形成される。
本考案では、微小成分がシリカである。
【考案の効果】
【０００７】
本考案の少なくとも一の実施形態によれば、先端のテーパー部の表面に複数の微小な凹部が形成されているので、光沢を減少させることができると共に、テーパー部の軟らかさを増すことができ、より自然な感じでカールさせやすい人工まつげを提供できる。なお、本明細書において例示された効果により本考案の内容が限定して解釈されるものではない。
【図面の簡単な説明】
【０００８】
【図１】人工まつげの全体および一部を拡大して示す略線図である。
【図２】人工まつげの製造工程の一例を示す略線図である。
【考案を実施するための形態】
【０００９】
以下に説明する実施の形態は、本考案の好適な具体例であり、技術的に好ましい種々の限定が付されている。しかしながら、本考案の範囲は、以下の説明において、特に本考案を限定する旨の記載がない限り、これらの実施の形態に限定されないものとする。
なお、本考案の説明は、下記の順序にしたがってなされる。
＜１．一実施の形態＞
＜２．変形例＞
【００１０】
＜１．一実施の形態＞
図１Ａおよび図１Ｂは、本考案の一実施の形態の全体および先端部を拡大して示している。人工まつげ１は、まつげと接着される基部２と、先端がカールされると共に、先細とされたテーパー部４と、基部２およびテーパー部４の間の中間部３とからなる。人工まつげ１は、合成樹脂例えばＰＢＴ（ポリブチレンテレフタレート）樹脂と微小成分例えばＳiＯ2（シリカ）の混合物である。人工まつげの太さは、例えば（０．０７mm〜０．２５mm）とされ、長さは、例えば（７mm〜１５mm）とされる。
【００１１】
図１Ｂは、テーパー部４を拡大して示す。テーパー部４は、全長の２０％程度を占めている。後述するように、テーパー部４の先細形状は、溶剤によって先端部分を溶かすことで形成される。図１Ｂに示すように、テーパー部４の表面に複数の微小な凹部５が形成されている。これは、テーパー部４を形成するために先端部を溶かした場合に、シリカが脱落した跡または溶けた跡の凹部である。
【００１２】
このように、先細とされると共に、凹部５が形成されることによって、テーパー部４の柔軟性が増して軟らかくなり、カールさせる加工が容易となる。さらに、テーパー部４のみならず、基部２および中間部３も、シリカによって表面に凹凸が形成されているので、つや消しがなされ、光沢が少ないものとできる。その結果、人工まつげ１の光沢が抑制され、人工的な感じを少なくできる。
【００１３】
図２を参照して人工まつげ１の製造工程の概略について説明する。最初に、工程１１でマスターバッチが製造される。マスターバッチは、ＰＢＴ（ポリブチレンテレフタレート）樹脂と微小成分例えばＳiＯ2（シリカ）の混合物である。マスターバッチは、ＰＢＴ樹脂が（９３−９７％）、ＳiＯ2が（３−７％）の組成とされる。マスターバッチが原材料樹脂と混合される。原材料樹脂は、一例として、ＰＢＴである。ＰＢＴに対するマスターバッチの割合は、数％程度である。
【００１４】
次の着色工程１２において、所望の色に樹脂が着色される。着色方法としては、種々の方法を使用できる。例えば原材料樹脂を（２８０℃〜３００℃）の熱で溶かし、カーボンブラックで着色がなされる。
【００１５】
次に、成形工程１３において、マスターバッチと着色した原料樹脂及び必要に応じて無着色の原材料樹脂が混合され、熱で再び溶かして液状として小口径の穴を有する口金を通して押出し、フィラメントとされる。これ以外にも、予めシリカとカーボンブラックをＰＢＴに所定の濃度で混合しておき、これを熱で溶融して同様にフィラメントを製造することができる。通常、このようにして製造した多数のフィラメントを収束して所定の長さに揃えた後、テーパー工程１４において、ファイバーの先端が溶剤によって溶かされ、先細のテーパー部４が形成される。このテーパー工程１４によって、シリカが脱落または溶けることによって、テーパー部４の表面に上述したような凹部５が形成される。基部２および中間部３の表面には、シリカによって微細な凹凸が形成されることによって、光沢が抑制される。テーパー部４の表面にも微細な凹凸が形成され、テーパー部４の光沢も抑制される。先細形状のテーパー部４に凹部５が形成されるので、テーパー部４の柔軟性が増して柔らかな毛先を形成でき、カールが容易となる。
【００１６】
カール工程１５において、テーパー部４に対してカールが付加される。例えば所定温度に暖められた表面に曲面を有する棒状部材に対して多数のファイバが巻き付けられ、所定時間後に冷却される。カールの形状（Ｃ形、Ｊ形等）に応じて表面の曲面が形成されている。そして、工程１６において、全長が所定の長さにカットされて人工まつげ１が完成する。
【００１７】
＜２．変形例＞
以上、本考案の実施形態について具体的に説明したが、上述の各実施形態に限定されるものではなく、本考案の技術的思想に基づく各種の変形が可能である。例えば、上述の実施形態において挙げた構成、方法、工程、形状、材料および数値などはあくまでも例に過ぎず、必要に応じてこれと異なる構成、方法、工程、形状、材料および数値などを用いてもよい。例えば原材料樹脂としては、ＰＢＴ以外の合成樹脂を使用しても良く、微小成分としては、シリカ以外に無機または有機の微粒子を使用しても良い。さらに、本考案は、エクステ用の人工まつげに限らず、多数の人工まつげの根元を纏めてなるつけまつげに対しても適用して同様の効果がある。
【符号の説明】
【００１８】
１・・・人工まつげ
２・・・基部
４・・・テーパー部
５・・・凹部
【図１】
0003196356.tif 000003
【図２】
0003196356.tif 000004